(57)【要約】      （修正有）【課題】ガラス製天板等の透明天板をテーブルの下部構造体にしっかりと固定でき、持ち運びの煩わしさを解消した透明テーブルを提供する。【解決手段】透明天板２０と、平坦頂面が天板の下面に圧着され、下端面にはボルト差込み穴２１Ａが形成されるとともに、側面にはねじ挿通穴２１Ｂがボルト差込み穴に連通して形成された圧着具２１と、側面上部にねじ穴３０Ａが横向きに形成され、上部が圧着具のボルト差込み穴に差し込まれ、圧着具のねじ挿通穴から固定ねじ４０が挿入されてねじ穴にねじ込まれることによって圧着具に固定される接続ボルト３０と、上端面１１Ｂのボルト穴１１Ａに接続ボルトがねじ込まれることによって圧着具と固定されるテーブルの下部構造体とを備える。【選択図】図２
0003173393.tif 000002
【実用新案登録請求の範囲】
【請求項１】
透明又は半透明の材料によって製作された透明天板（２０）と、
平坦頂面が上記天板（２０）の下面に接着剤を用いて圧着され、下端面にはボルト差込み穴（２１Ａ）が上方に向けて形成されるとともに、側面にはねじ挿通穴（２１Ｂ）が上記ボルト差込み穴（２１Ａ）に連通して形成された圧着具（２１）と、
側面上部にねじ穴（３０Ａ）が横向きに形成され、上部が上記圧着具（２１）のボルト差込み穴（２１Ａ）に差し込まれ、上記ねじ穴（３０Ａ）が上記圧着具（２１）のねじ挿通穴（２１Ｂ）に合致された状態で上記圧着具（２１）のねじ挿通穴（２１Ｂ）から固定ねじ（４０）が挿入されて上記ねじ穴（３０Ａ）にねじ込まれることによって上記圧着具（２１）に固定される接続ボルト（３０）と、
上端面（１１Ｂ）のボルト穴（１１Ａ）に上記接続ボルト（３０）がねじ込まれることによって上記圧着具（２１）と固定されるテーブルの下部構造体（１０）と、
を備えたことを特徴とする透明テーブル。
【請求項２】
上記透明天板（２０）が強化ガラス又は強化プラスチックで製作されている請求項１記載の透明テーブル。
【考案の詳細な説明】
【技術分野】
【０００１】
本考案は透明テーブルに関し、特にガラス製天板等の透明天板をテーブルの下部構造体にしっかりと固定でき、持ち運びの煩わしさを解消したテーブルに関する。
【背景技術】
【０００２】
例えば、ガラステーブルは天板に透明又は半透明なガラス板が用いられ、テーブル下方が透けて室内が広く見え、あるいは天板下方の棚の装飾品が見えるなど、室内装飾性に優れている。
【０００３】
従来、この種のガラステーブルでは、４本の脚の上端に四角形の枠を取付け、枠にガラス製天板を支持した構造が知られているが（特許文献１、特許文献２）、四角形の枠によって空間が制限されたような印象を受ける。
【０００４】
これに対し、４本の脚の上端に四角形状の枠を取付けてテーブルの下部構造体を構成し、枠の四隅に天板支持片を固定し、天板支持片に天板受支具を設け、天板受支具にガラス製天板を搭載し、天板外周縁をそのまま露出させて開放感を与えるようにした構造が提案されている（特許文献３）。
【先行技術文献】
【特許文献】
【０００５】
【特許文献１】特開２００１−３２１２２７号公報
【特許文献２】実開平０５−６０３３１号公報
【特許文献３】特開２００５−３０２８０２号公報
【考案の開示】
【考案が解決しようとする課題】
【０００６】
しかし、特許文献３記載のガラステーブルではガラス製の天板を持ち上げてガラステーブルを持ち運ぼうとすると、天板がテーブルの下部構造体から離れるので、天板と下部構造体とを別々に持ち運ぶ必要があって煩わしいという問題があった。勿論、天板と下部構造体の天板受支具を接着剤で接着すれば、天板と下部構造体を一体化できるが、下部構造体が重い場合には接着が外れて下部構造体の落下が懸念される。
【０００７】
本考案はかかる問題点に鑑み、ガラス製天板等の透明天板をテーブルの下部構造体にしっかりと固定でき、持ち運びの煩わしさを解消した透明テーブルを提供することを課題とする。
【課題を解決するための手段】
【０００８】
そこで、本考案に係る透明テーブルは、透明又は半透明の材料によって製作された透明天板と、平坦頂面が上記天板の下面に接着剤を用いて圧着され、下端面にはボルト差込み穴が上方に向けて形成されるとともに、側面にはねじ挿通穴が上記ボルト差込み穴に連通して形成された圧着具と、側面上端部にねじ穴が横向きに形成され、上端部が上記圧着具のボルト差込み穴に差し込まれ、上記ねじ穴が上記圧着具のねじ挿通穴に合致された状態で上記圧着具のねじ挿通穴から固定ねじが挿入されて上記ねじ穴にねじ込まれることによって上記圧着具に固定される接続ボルトと、上端面のボルト穴に上記接続ボルトがねじ込まれることによって上記圧着具と固定されるテーブルの下部構造体と、を備えたことを特徴とする。
【０００９】
本考案の主たる特徴は、透明天板に圧着具の平坦頂面を加圧接着し、圧着具下面のボルト差込み穴には接続ボルトの上端部を差込み、圧着具の側面から固定ねじを差し込んで接続ボルトのねじ穴にねじ込むことによって接続ボルトを固定し、接続ボルトを下部構造体のボルト穴にねじ込ませることによって透明天板と下部構造体とを相互に固定するようにした点にある。
【００１０】
これにより、天板と圧着具とは接着剤によって平坦面同士を圧着させるので、接着強度は高く、又圧着具と下部構造体とは接続ボルトと固定ねじによって機械的に固定されるので、透明天板と下部構造体とを強固に固定できる。
【００１１】
その結果、ガラス製天板などの透明天板を持ち上げてもテーブルの下部構造体が天板から離れることがなく、透明テーブルの持ち運びが簡単であり、透明天板と下部構造体を別々に持ち運ぶ煩雑さを解消できる。
【００１２】
透明天板は透明又は半透明の材料で製作されていればよく、例えば強化ガラスや強化プラスチックで製作されることができる。
【考案を実施するための最良の形態】
【００１３】
以下、本考案を図面に示す具体例に基づいて詳細に説明する。図１ないし図３は本考案に係る透明テーブルの好ましい実施形態を示す。図において、本例の透明テーブルはテーブルの下部構造体１０と透明天板２０とから構成されている。下部構造体１０は棚１１と棚１１の四隅に固定された脚１２とから構成され、棚１１は例えば木板や合板、あるいはプラスチック材料を用いて製作され、棚１１の両側は上抜きに丸く湾曲され、その端面１１Ｂは上方を指向されている。
【００１４】
他方、透明天板２０は透明（又は半透明）の強化ガラス（又は強化プラスチック）を用いて矩形状に製造され、透明天板２０の四隅には金属製、例えばアルミニウム合金製の短円柱状の圧着金具２１の平坦な頂面が反応硬化性樹脂接着剤、例えば赤外線硬化型エポキシ樹脂接着剤を用いて圧着され、圧着金具２１の下端面にはボルト差込み穴２１Ａが上向きに形成され、又圧着金具２１の側面にはねじ挿通穴２１Ｂがボルト差込み穴２１Ａに連通して形成されている。なお、圧着金具２１の平坦な頂面には大きな接着面積を確保するために微小深さ、例えば０．５ｍｍ〜１．５ｍｍ程度の範囲内の深さの複数の円形溝が同心状に形成されている。
【００１５】
他方、下部構造体１０の棚１１の両側部分の上向き端面１１Ｂには幅方向両端部にねじ穴１１Ａが形成され、ねじ穴１１Ａには接続ボルト３０の下端部３０Ｂがねじ込まれ、又接続ボルト３０の側面上部にねじ穴３０Ａが横向きに形成されている。この接続ボルト３０の上部は圧着金具２１のボルト差込み穴２１に差し込まれ、そのねじ穴３０Ａを圧着金具２１のねじ挿通穴２１Ｂに合致させた状態で固定ねじ４０が差し込まれてねじ穴３０Ａにねじ込まれ、これによって透明天板１２０と下部構造体１０とが固定されている。
【００１６】
本例の透明テーブルを組立てる場合、圧着金具２１の平坦頂面に、赤外線硬化型のエポキシ樹脂接着剤を適量滴下させた後、圧着金具２１の頂面を透明天板２０の裏面に強く押し付け、圧着金具２１の頂面からはみ出した接着剤を布などで拭き取り、圧着金具２１を透明天板２０に強く押し付けた状態で透明天板２０を通して圧着金具２１の頂面に赤外線を照射すると、１０〜１５秒程度で接着剤が硬化し、圧着金具２１を透明天板２０に圧着することができる。なお、固定ねじ４０が外方から見えて見栄えが損なわれないように、圧着金具２１は図３に示されるように、ねじ挿通穴２１Ｂがテーブル内を向くようにして透明天板２０に圧着するのがよい。
【００１７】
他方、下部構造体１０の棚１１にはその両端面１１Ｂのねじ穴１１Ａに接続ボルト３０の下端部３０Ｂをねじ込み、接続ボルト３０を棚１１に固定する。
【００１８】
こうして準備ができると、図３の（Ａ）（Ｂ）に示されるように、接続ボルト３０の上端部を圧着金具２１のボルト差込み穴２１Ａに差込み、接続ボルト３０のねじ穴３０Ａを圧着金具２１のねじ挿通穴２１Ｂに合致させた状態にして固定ねじ４０をねじ挿通穴２１から差込んで接続ボルト３０のねじ穴３０Ａにねじ込むと、天板２０と下部構造体１０とを強固に固定することができる。
【００１９】
この状態では天板２０を手に持って持ち上げても下部構造体１０が不意に外れて落下することはなく、透明テーブルをそのまま持ち運ぶことができるので、天板２０と下部構造体１０を別々に持ち運ぶ煩わしさはない。
【図面の簡単な説明】
【００２０】
【図１】本考案に係る透明テーブルの好ましい実施形態を示す概略斜視図である。
【図２】上記実施形態における透明テーブルと下部構造体の固定構造を説明するための図である。
【図３】上記実施形態における組立て工程を模式的に示す図である。
【符号の説明】
【００２１】
１０    透明天板
２０    下部構造体
２１    圧着金具
２１Ａ    ボルト差込み穴
２１Ｂ    ねじ挿通穴
３０    接続ボルト
３０Ａ    ねじ穴
３０Ｂ    下端部
４０    固定ねじ
【図１】
0003173393.tif 000003
【図２】
0003173393.tif 000004
【図３】
0003173393.tif 000005